【手続補正書】
【提出日】平成25年6月14日(2013.6.14)
【手続補正１】
【補正対象書類名】明細書
【補正対象項目名】００２５
【補正方法】変更
【補正の内容】
【００２５】
本発明に係る空気調和機は、圧縮機、凝縮器となる室外熱交換器、キャピラリーチューブ、及び前記室外熱交換器に室外空気を供給する室外送風機を有する室外機と、蒸発器となる室内熱交換器、及び該室内熱交換器に室内空気を供給する室内送風機を有する室内機と、  前記室内機に設けられ、前記室内送風機、前記圧縮機及び前記室外送風機に運転及び停止の指令を行う制御部と、を備え、前記圧縮機及び前記室外送風機を一定の回転数で運転する空気調和機において、前記室内熱交換器の温度を検出する室内熱交換器温度センサーと、前記室内機に吸い込まれた室内空気の温度を検出する室内吸込み温度センサーと、を備え、前記制御部は、前記室内吸込み温度センサーの検出温度と前記室内熱交換器温度センサーの検出温度との温度差が所定の閾値よりも高い状態から低い状態へ変化した回数をカウントし、当該回数が所定回数以上となった際、前記室内送風機、前記圧縮機及び前記室外送風機に停止の指令を行うものである。
【手続補正２】
【補正対象書類名】明細書
【補正対象項目名】００２６
【補正方法】変更
【補正の内容】
【００２６】
また、本発明に係る空気調和機は、圧縮機、凝縮器となる室外熱交換器、キャピラリーチューブ、及び前記室外熱交換器に室外空気を供給する室外送風機を有する室外機と、蒸発器となる室内熱交換器、及び該室内熱交換器に室内空気を供給する室内送風機を有する室内機と、前記室内機に設けられ、前記室内送風機、前記圧縮機及び前記室外送風機に運転及び停止の指令を行う制御部と、前記圧縮機から吐出される冷媒の圧力に応じて前記制御部からの指令にかかわらず前記圧縮機のモーターへの電流通路を開閉動作するものであり、前記圧縮機から吐出される冷媒の圧力が所定値を超えた際、前記圧縮機のモーターへの通電を遮断して前記圧縮機を保護する開閉器と、を備え、前記圧縮機及び前記室外送風機を一定の回転数で運転する空気調和機において、前記室内熱交換器の温度を検出する室内熱交換器温度センサーと、前記室内機に吸い込まれた室内空気の温度を検出する室内吸込み温度センサーと、を備え、前記制御部は、前記室内吸込み温度センサーの検出温度と前記室内熱交換器温度センサーの検出温度との温度差が所定の閾値よりも高い状態から低い状態へ変化した回数をカウントし、当該回数が所定回数以上となった際、前記室内送風機、前記圧縮機及び前記室外送風機に停止の指令を行うものである。
【手続補正３】
【補正対象書類名】明細書
【補正対象項目名】００２７
【補正方法】変更
【補正の内容】
【００２７】
また、本発明に係る空気調和機は、圧縮機、凝縮器となる室外熱交換器、キャピラリーチューブ、及び前記室外熱交換器に室外空気を供給する室外送風機を有する室外機と、蒸発器となる室内熱交換器、及び該室内熱交換器に室内空気を供給する室内送風機を有する室内機と、前記室内機に設けられ、前記室内送風機、前記圧縮機及び前記室外送風機に運転及び停止の指令を行う制御部と、前記圧縮機のモーター内又は該モーターへの電流通路に設けられ、電流及び温度に応じて前記制御部からの指令にかかわらず開閉動作するものであり、自身に流れる電流及び自身の温度のうちの少なくとも一方が所定値を超えた際、前記圧縮機のモーターへの通電を遮断して前記圧縮機を保護する開閉器と、を備え、前記圧縮機及び前記室外送風機を一定の回転数で運転する空気調和機において、前記室内熱交換器の温度を検出する室内熱交換器温度センサーと、前記室内機に吸い込まれた室内空気の温度を検出する室内吸込み温度センサーと、を備え、前記制御部は、前記室内吸込み温度センサーの検出温度と前記室内熱交換器温度センサーの検出温度との温度差が所定の閾値よりも高い状態から低い状態へ変化した回数をカウントし、当該回数が所定回数以上となった際、前記室内送風機、前記圧縮機及び前記室外送風機に停止の指令を行うものである。
【手続補正４】
【補正対象書類名】特許請求の範囲
【補正対象項目名】全文
【補正方法】変更
【補正の内容】
【特許請求の範囲】
【請求項１】
圧縮機、凝縮器となる室外熱交換器、キャピラリーチューブ、及び前記室外熱交換器に室外空気を供給する室外送風機を有する室外機と、
蒸発器となる室内熱交換器、及び該室内熱交換器に室内空気を供給する室内送風機を有する室内機と、
前記室内機に設けられ、前記室内送風機、前記圧縮機及び前記室外送風機に運転及び停止の指令を行う制御部と、
を備え、前記圧縮機及び前記室外送風機を一定の回転数で運転する空気調和機において、
前記室内熱交換器の温度を検出する室内熱交換器温度センサーと、
前記室内機に吸い込まれた室内空気の温度を検出する室内吸込み温度センサーと、
を備え、
前記制御部は、
前記室内吸込み温度センサーの検出温度と前記室内熱交換器温度センサーの検出温度との温度差が所定の閾値よりも高い状態から低い状態へ変化した回数をカウントし、
当該回数が所定回数以上となった際、前記室内送風機、前記圧縮機及び前記室外送風機に停止の指令を行うことを特徴とする空気調和機。
【請求項２】
圧縮機、凝縮器となる室外熱交換器、キャピラリーチューブ、及び前記室外熱交換器に室外空気を供給する室外送風機を有する室外機と、
蒸発器となる室内熱交換器、及び該室内熱交換器に室内空気を供給する室内送風機を有する室内機と、
前記室内機に設けられ、前記室内送風機、前記圧縮機及び前記室外送風機に運転及び停止の指令を行う制御部と、
前記圧縮機から吐出される冷媒の圧力に応じて前記制御部からの指令にかかわらず前記圧縮機のモーターへの電流通路を開閉動作するものであり、前記圧縮機から吐出される冷媒の圧力が所定値を超えた際、前記圧縮機のモーターへの通電を遮断して前記圧縮機を保護する開閉器と、
を備え、前記圧縮機及び前記室外送風機を一定の回転数で運転する空気調和機において、
前記室内熱交換器の温度を検出する室内熱交換器温度センサーと、
前記室内機に吸い込まれた室内空気の温度を検出する室内吸込み温度センサーと、
を備え、
前記制御部は、
前記室内吸込み温度センサーの検出温度と前記室内熱交換器温度センサーの検出温度との温度差が所定の閾値よりも高い状態から低い状態へ変化した回数をカウントし、
当該回数が所定回数以上となった際、前記室内送風機、前記圧縮機及び前記室外送風機に停止の指令を行うことを特徴とする空気調和機。
【請求項３】
圧縮機、凝縮器となる室外熱交換器、キャピラリーチューブ、及び前記室外熱交換器に室外空気を供給する室外送風機を有する室外機と、
蒸発器となる室内熱交換器、及び該室内熱交換器に室内空気を供給する室内送風機を有する室内機と、
前記室内機に設けられ、前記室内送風機、前記圧縮機及び前記室外送風機に運転及び停止の指令を行う制御部と、
前記圧縮機のモーター内又は該モーターへの電流通路に設けられ、電流及び温度に応じて前記制御部からの指令にかかわらず開閉動作するものであり、自身に流れる電流及び自身の温度のうちの少なくとも一方が所定値を超えた際、前記圧縮機のモーターへの通電を遮断して前記圧縮機を保護する開閉器と、
を備え、前記圧縮機及び前記室外送風機を一定の回転数で運転する空気調和機において、
前記室内熱交換器の温度を検出する室内熱交換器温度センサーと、
前記室内機に吸い込まれた室内空気の温度を検出する室内吸込み温度センサーと、
を備え、
前記制御部は、
前記室内吸込み温度センサーの検出温度と前記室内熱交換器温度センサーの検出温度との温度差が所定の閾値よりも高い状態から低い状態へ変化した回数をカウントし、
当該回数が所定回数以上となった際、前記室内送風機、前記圧縮機及び前記室外送風機に停止の指令を行うことを特徴とする空気調和機。